(57)【要約】 【課題】  アナログ放送が終了したとき、視聴者に不快感を与えることを防ぐことができる放送受信装置を提供する。【解決手段】  アナログ放送の終了に関する予め定める条件を満足したとき、具体的にはアナログテレビ放送の終了日時が経過し、かつアナログテレビ用アンテナ１１およびアナログテレビチューナ１２によって受信したアナログテレビ放送信号の電界強度が予め定める値以下になったとき、予め定める画像、たとえば青色一色の画像を、タッチパネルディスプレイ１９の表示部１９ａに表示させる。【選択図】      図１
2008283625.tif 000002
【特許請求の範囲】
【請求項１】
放送信号を受信する受信手段と、
前記受信手段によって受信した放送信号に含まれる放送情報を出力する出力手段と、
アナログ放送の終了に関する予め定める条件を満足したとき、予め定める出力状態となるように出力手段を制御する制御手段とを備えることを特徴とする放送受信装置。
【請求項２】
前記予め定める条件は、アナログ放送の終了日時が経過したことであることを特徴とする請求項１記載の放送受信装置。
【請求項３】
前記予め定める条件は、アナログ放送の終了日時が経過し、かつ前記受信手段によって受信した放送信号の電界強度が予め定める値以下となることであることを特徴とする請求項１記載の放送受信装置。
【請求項４】
前記放送情報を前記出力手段に出力させる指令を入力する入力手段をさらに備え、
前記制御手段は、アナログ放送の終了日時が経過したとき、入力手段による前記指令の入力を無効にすることを特徴とする請求項１記載の放送受信装置。
【請求項５】
受信手段に電力を供給する電力供給手段をさらに備え、
前記制御手段は、アナログ放送の終了日時が経過したとき、前記受信手段への電力の供給を停止するように、電力供給手段を制御することを特徴とする請求項１記載の放送受信装置。
【発明の詳細な説明】
【技術分野】
【０００１】
本発明は、放送信号を受信する放送受信装置に関する。
【背景技術】
【０００２】
放送衛星（Broadcasting Satellite；略称：ＢＳ）を用いるＢＳデジタル放送が２０００年に開始され、地上アンテナを用いた地上波デジタル放送が２００３年に開始されるなど、アナログ信号によって映像情報および音声情報などを放送するアナログ放送に比べて、高品質な映像および音声を放送可能でかつ、多機能な放送が可能なデジタル放送が普及している。このようなデジタル化の進展に伴って、アナログ放送は２０１１年７月２４日に終了する予定になっている。
【０００３】
２０１１年にアナログ放送が終了するまでは、デジタル放送の放送チャンネルと同じ番組がアナログ放送で並行して放送（サイマル放送）される。放送局からのデジタル放送信号およびアナログ放送信号を受信するサイマル放送用のテレビジョン放送受信装置が、たとえば特許文献１に開示されている。
【０００４】
【特許文献１】特開２００４−３２０４４９号公報
【発明の開示】
【発明が解決しようとする課題】
【０００５】
特許文献１のテレビジョン放送受信装置では、アナログ放送が終了し、アナログ放送信号の受信ができなくなると、アナログ放送の放送チャンネルを選局したとき、いわゆる砂嵐と呼ばれるランダムノイズが表示画面に表示されてしまい、視聴者にとって不快感を与えてしまうという問題がある。
【０００６】
本発明の目的は、アナログ放送が終了したとき、視聴者に不快感を与えることを防ぐことができる放送受信装置を提供することである。
【課題を解決するための手段】
【０００７】
本発明（１）に従えば、受信手段は、放送信号を受信するように構成され、出力手段は、受信手段によって受信した放送信号に含まれる放送情報を出力するように構成される。アナログ放送の終了に関する予め定める条件を満足したとき、出力手段は、予め定める出力状態となるように、制御手段によって制御される。
【発明の効果】
【０００８】
本発明（１）によれば、アナログ放送の終了に関する予め定める条件、たとえばアナログ放送の終了日時が経過したことを満足したとき、制御手段は、出力手段が予め定める出力状態となるように制御することができる。たとえば制御手段は、予め定める画像を出力手段に出力させたり、アナログ放送が終了したことを表す情報を出力手段に出力させたり、アナログ放送を選択する操作ボタンを出力手段に出力させないようにすることができる。
【０００９】
これによって、アナログ放送の終了に関する予め定める条件を満足したとき、いわゆる砂嵐と呼ばれるランダムノイズが出力手段に出力されることを回避することができ、視聴者に不快感を与えることを防ぐことができる。
【発明を実施するための最良の形態】
【００１０】
以下に、本発明を実施するための複数の形態について説明する。以下の説明において、先行する形態で説明している事項に対応する部分については同一の参照符を付し、重複する説明を省略する場合がある。構成の一部のみを説明している場合、構成の他の部分は、先行して説明している形態と同様とする。
【００１１】
図１は、本発明の実施の一形態である放送受信装置１０の電気的構成を示すブロック図である。図２は、アナログテレビ表示ボタン２４が押圧されたときの表示部１９ａの表示画面例を示す図である。放送受信装置１０は、放送局から送信されるアナログテレビジョン放送信号（以下「アナログテレビ放送信号」という）によって提供される映像信号および音声信号を抽出し、抽出した映像信号を、後述するタッチパネルディスプレイ１９に表示させるとともに、抽出した音声信号を後述するスピーカ２０から出力させる。本実施の形態において、アナログテレビ放送信号は、放送信号に相当し、映像信号および音声信号は、放送情報に相当する。
【００１２】
また放送受信装置１０は、地図などの画像を表示し、運転手を目的地に案内するためのナビゲーション装置として機能する。放送受信装置１０は、後述するタッチパネルディスプレイ１９によって目的地の入力などの操作が可能に構成されている。さらに放送受信装置１０は、コンパクトディスク（Compact Disk：略称；ＣＤ）およびデジタル多機能ディスク（Digital Versatile Disk；略称：ＤＶＤ）などの記録媒体に記録されている音楽および動画像などの情報を再生可能に構成されている。放送受信装置１０は、たとえば車両などの移動体に搭載されて用いられる。
【００１３】
放送受信装置１０は、アナログテレビ用アンテナ１１、アナログテレビチューナ１２、制御部１３、電源制御部１４、ＧＰＳ（Global Positioning System）用アンテナ１５、ＧＰＳ受信機１６、ハードディスクドライブ（略称：ＨＤＤ）１７、描画ＬＳＩ（Large Scale Integration）１８、タッチパネルディスプレイ１９およびスピーカ２０を備えて構成される。
【００１４】
アナログテレビチューナ１２には、放送局からのアナログテレビ放送信号を受信するためのアナログテレビ用アンテナ１１が接続される。またアナログテレビチューナ１２には、後述する制御部１３および電源制御部１４が接続される。
【００１５】
各放送局からのコンテンツは、各放送局に割り振られたチャンネルに対応する搬送波周波数のアナログテレビ放送信号によって提供され、アナログテレビチューナ１２は、選局される放送局からのアナログテレビ放送信号、換言すれば選択されるチャンネルに対応する搬送波周波数のアナログテレビ放送信号を、アナログテレビ用アンテナ１１を介して受信して増幅する。さらにアナログテレビチューナ１２は、受信したアナログテレビ放送信号から映像信号および音声信号を抽出する検波を行う。前記アナログテレビチューナ１２によって検波された映像信号および音声信号は、制御部１３に与えられる。
【００１６】
前記映像信号および音声信号は、制御部１３に与えられた後、描画ＬＳＩ１８を介してタッチパネルディスプレイ１９に与えられる。
【００１７】
制御部１３は、たとえばマイクロコンピュータによって実現され、制御プログラムが記憶されるメモリを備えている。制御部１３は、内蔵するメモリに記憶される制御プログラムを実行することによって、放送受信装置１０を構成する前述のアナログテレビチューナ１２、電源制御部１４、ＧＰＳ受信機１６、ＨＤＤ１７、描画ＬＳＩ１８、タッチパネルディスプレイ１９およびスピーカ２０を含むハードウェア資源を統括的に制御する。
【００１８】
制御部１３は、アナログテレビチューナ１２から与えられる映像信号を描画ＬＳＩ１８に出力し、タッチパネルディスプレイ１９に表示させるとともに、音声信号をスピーカ２０に出力する。
【００１９】
制御部１３は、アナログテレビチューナ１２から与えられる映像信号および音声信号の少なくともいずれか一方に基づいて、アナログテレビ用アンテナ１１を介して受信したアナログテレビ放送信号の電界強度を検出し、検出した電界強度が予め定める値以下、たとえば５秒以上電界強度が２０ｄＢ以下であるか否かを判断する。制御部１３は、検出した電界強度が予め定める値以下であるとき、予め定める画像を描画ＬＳＩ１８に出力し、前記予め定める画像をタッチパネルディスプレイ１９に表示させる。
【００２０】
電源制御部１４は、たとえばマイクロコンピュータによって実現され、電源制御プログラムが記憶されるメモリを備えている。電源制御部１４は、内蔵するメモリに記憶される電源制御プログラムに基づいて、アナログテレビチューナ１２および制御部１３への電力の供給および停止の処理を制御する。
【００２１】
ＧＰＳ受信機１６は、ＧＰＳアンテナ１５を介して、図示外のＧＰＳ用衛星から送信される複数の電波信号を受信する。ＧＰＳ受信機１６は、受信した複数の電波信号を制御部１３に与える。制御部１３は、ＧＰＳ受信機１６から与えられる複数の電波信号に基づいて、日時を表す日時情報を測定する。制御部１３は、測定した日時情報に基づいて、たとえばアナログテレビ放送の終了日時が経過しているか否かを判断する。制御部１３は、アナログテレビ放送の終了日時が経過しているとき、後述のアナログテレビ表示ボタンによる予め定める指令の入力を無効にする無効化処理をする。
【００２２】
ＨＤＤ１７は、利用者にアナログテレビ放送が終了したことを通知する情報（以下「終了通知情報」という）および終了通知情報に関する音声を表す情報（以下「終了通知音声情報」という）、デジタルテレビ放送の受信に関する説明情報（以下「受信説明情報」という）および受信説明情報に関する音声を表す情報（以下「受信説明音声情報」という）、ならびに経路案内をするための地図情報などを記録する。
【００２３】
終了通知情報は、たとえば「アナログテレビ放送は終了しました。」という、アナログテレビ放送が終了したことを表す文字情報であり、終了通知音声情報は、たとえば「アナログテレビ放送は終了しました。」という終了通知情報を表す音声である。受信説明情報は、デジタルテレビ放送信号を受信するために必要な接続機器およびその接続方法などの説明を表す画像であり、受信説明音声情報は、受信説明情報を補足的に説明する音声である。
【００２４】
地図情報は、線に関するリンク情報および点に関するノード情報を含む。道路は、１または複数のリンクを順次連結して表され、リンクの端点がノードとなる。リンク情報は、たとえばリンクの長さ寸法、ならびに有料道路、高速道路、一般道路などの道路種別を含む。ノード情報は、各ノードの座標情報を含む。
【００２５】
描画ＬＳＩ１８は、表示映像および画像の少なくともいずれか一方をタッチパネルディスプレイ１９に表示するために、表示映像および画像の少なくともいずれか一方に応じた駆動信号を、タッチパネルディスプレイ１９に与える。さらに述べると、描画ＬＳＩ１８は、制御部１３から与えられた映像信号に応じた駆動信号をタッチパネルディスプレイ１９に与える。また描画ＬＳＩ１８は、制御部１３によって検出された電界強度が予め定める値以下であるとき、制御部１３からの指令に従って予め定める画像が入力され、入力された画像に応じた駆動信号をタッチパネルディスプレイ１９に与える。
【００２６】
タッチパネルディスプレイ１９は、表示部１９ａとパネル操作部１９ｂとを備える。表示部１９ａは、薄膜電極回路を形成した２つのガラス基板の間に液晶材料が封入される液晶表示パネルによって実現される。薄膜電極回路は、たとえば薄膜トランジスタ（Thin  Film Transistor；略称：ＴＦＴ）によって実現される。表示部１９ａが表示する画像は、動画像であってもよいし、静止画像であってもよい。
【００２７】
パネル操作部１９ｂは、いわゆるタッチパネルであり、圧力を感知し、押圧された位置を表す位置情報を伝送する透光性を有する板である。パネル操作部１９ｂは、表示部１９ａを覆うように設けられている。パネル操作部１９ｂは、表示部１９ａが押圧されると、その押圧された位置を表す位置情報を制御部１３に伝送する。本実施の形態では、図２に示されるように、表示部１９ａに複数の表示ボタン２１が表示され、これらのうちいずれかの表示ボタン２１が利用者によって指などで押圧されると、押圧された位置情報が制御部１３に伝送され、制御部１３は、その押圧された位置に表示される表示ボタン２１に関連付けられている制御を行う。
【００２８】
利用者は、表示部１９ａに表示される複数の表示ボタン２１のうちいずれかの表示ボタン２１を操作することによって、予め表示ボタン２１に設定されている入力指令を制御部１３に与えることができ、これによって所望の放送局から送信されてくる映像を表示部１９ａに表示させることができる。
【００２９】
表示ボタン２１は、設定チャンネル表示ボタン２２、チャンネル検索表示ボタン２３、アナログテレビ表示ボタン２４を含む。設定チャンネル表示ボタン２２は、予め放送局毎に割り振られたチャンネル番号に対応するチャンネルに切換える指令を入力するときに、利用者によって操作される表示ボタンである。チャンネル検索表示ボタン２３は、チャンネルを検索する指令を入力するときに、利用者によって操作される表示ボタンである。アナログテレビ表示ボタン２４は、図１には図示していないが、表示部１９ａおよびスピーカ２０から出力されている信号のソース（信号源）、具体的にはＶＴＲ、ＡＵＸ（外部入力）、ＨＤＤプレーヤ、ＭＤプレーヤ、ＣＤプレーヤ、ＦＭラジオ、ＡＭラジオなどをアナログテレビに切り替え、アナログテレビ放送信号の映像信号をタッチパネルディスプレイ１９の表示部１９ａに表示させるとともに、音声信号をスピーカ２０から出力させる指令を入力するときに、利用者によって操作される表示ボタンである。
【００３０】
スピーカ２０は、制御部１３に電気的に接続され、制御部１３から与えられる電気信号を音響化して音声を出力する。スピーカ２０は、ビープ音および合成音声などによって、ＨＤＤ１７に記憶されている予め定める音声情報、具体的には終了通知音声情報および受信説明音声情報などを出力する。
【００３１】
本実施の形態では、アナログテレビ用アンテナ１１およびアナログテレビチューナ１２は、受信手段に相当する。タッチパネルディスプレイ１９は、入力手段および出力手段に相当する。制御部１３は、制御手段に相当する。電源制御部１４は、電力供給手段に相当する。スピーカ２０は、出力手段に相当する。
【００３２】
図３は、アナログテレビ表示ボタン２４の無効化処理に関する制御部１３の処理手順を示すフローチャートである。図３に示すフローチャートでは、放送受信装置１０が電源起動する条件で、本処理が開始する。本処理は、放送受信装置１０の動作中に、制御部１３によって実行される。
【００３３】
ステップａ１では、ＧＰＳ受信機１６から与えられる複数の電波信号に基づいて、日時を表す日時情報を測定して、ステップａ２に移行する。ステップａ２では、ステップａ１で測定した日時情報が表す日時と、アナログテレビ放送の終了日時とを比較して、アナログテレビ放送の終了日時が経過しているか否かを判断する。ステップａ２において、アナログテレビ放送の終了日時が経過していればステップａ３に移行し、前記終了日時が経過していなければ全ての処理を終了する。
【００３４】
ステップａ３では、アナログテレビ表示ボタン２４の無効化処理をする。具体的には、利用者によってアナログテレビ表示ボタン２４が操作されても、アナログテレビが選択されず、アナログテレビ放送信号の映像信号を、タッチパネルディスプレイ１９の表示部１９ａに表示させるとともに、音声信号をスピーカ２０から出力させる指令の入力を無効にする処理をする。この無効化処理をすると、タッチパネルディスプレイ１９の表示部１９ａに表示されるアナログテレビ表示ボタン２４を利用者が押圧しても、アナログテレビ放送信号の映像信号は表示部１９ａに表示されず、音声信号もスピーカ２０から出力されない。ステップａ３の無効化処理が終了した後は、全ての処理手順を終了する。
【００３５】
前述のように本実施の形態によれば、アナログ放送の終了に関する予め定める条件を満足したとき、具体的にはアナログテレビ放送の終了日時が経過したとき、アナログテレビ表示ボタン２４の押圧操作によって、アナログテレビ放送信号の映像信号を、タッチパネルディスプレイ１９の表示部１９ａに表示させるとともに、音声信号をスピーカ２０から出力させる指令の入力が無効にされる。
【００３６】
したがって利用者によってアナログテレビ表示ボタン２４が押圧操作された場合でも、アナログテレビ表示ボタン２４による前記指令の入力が無効にされるので、アナログテレビ放送信号が受信できないために、いわゆる砂嵐と呼ばれるランダムノイズに起因する映像がタッチパネルディスプレイ１９の表示部１９ａに表示されたり、前記ランダムノイズに起因する音声がスピーカ２０から出力されたりすることを回避することができる。これによって、視聴者に不快感を与えることを防ぐことができる。
【００３７】
なお、前述の実施の形態では、アナログテレビ表示ボタン２４の無効化処理をしたが、アナログテレビ表示ボタン２４をタッチパネルディスプレイ１９の表示部１９ａに表示させないようにしてもよい。
【００３８】
図４および図５は、警告通知処理およびアナログテレビ表示ボタン２４の非表示処理に関する制御部１３の処理手順を示すフローチャートである。図４に示すフローチャートでは、放送受信装置１０が電源起動する条件で、本処理が開始する。図５に示すフローチャートでは、図４に示すフローチャートのステップｂ４の処理が終了すると、本処理が開始する。
【００３９】
ステップｂ１では、ＧＰＳ受信機１６から与えられる複数の電波信号に基づいて、日時を表す日時情報を測定して、ステップｂ２に移行する。ステップｂ２では、ステップｂ１で測定した日時情報が表す日時と、アナログテレビ放送の終了日時とを比較して、アナログテレビ放送の終了日時が経過しているか否かを判断する。ステップｂ２において、アナログテレビ放送の終了日時が経過していればステップｂ３に移行し、前記終了日時が経過していなければ、アナログテレビ放送信号が受信可能であると判断してステップｂ５に移行する。
【００４０】
ステップｂ３では、アナログテレビチューナ１２から与えられる映像信号および音声信号の少なくともいずれか一方に基づいて、アナログテレビ用アンテナ１１を介して受信したアナログテレビ放送信号の電界強度を検出し、検出した電界強度が予め定める値以下、たとえば５秒以上電界強度が２０ｄＢ以下であるか否かを判断する。ステップｂ３において、検出した電界強度が前記予め定める値以下であれば、受信したアナログテレビ放送信号の電界強度は弱電界であると判断してステップｂ４に移行する。ステップｂ３において、検出した電界強度が前記予め定める値以下でなければ、アナログテレビ放送信号が受信可能であると判断してステップｂ５に移行する。
【００４１】
ステップｂ４では、予め定める画像、たとえば青色一色の画像を描画ＬＳＩ１８に出力する。描画ＬＳＩ１８は、入力された青色一色の画像をタッチパネルディスプレイ１９の表示部１９ａに表示させる。前記予め定める画像は、青色一色の画像に限らず、他の色の画像であってもよい。ステップｂ４の処理を終了した後は、図５のステップｃ１に移行する。
【００４２】
ステップｂ５では、アナログテレビ放送の受信処理、すなわちアナログテレビ用アンテナ１１を介して放送局からのアナログテレビ放送信号を受信する処理を、アナログテレビチューナ１２にさせ、さらにアナログテレビ放送の出力処理、すなわちアナログテレビチューナ１２から与えられる映像信号をタッチパネルディスプレイ１９の表示部１９ａに表示させるとともに、音声信号をスピーカ２０から出力させる処理をする。ステップｂ５の処理を終了した後は、全ての処理手順を終了する。
【００４３】
ステップｃ１では、利用者によってアナログテレビ表示ボタン２４が操作、具体的にはアナログテレビ表示ボタン２４が押圧されたか否かを判断し、押圧されたと判断した場合はステップｃ２に移行し、押圧されていないと判断した場合は全ての処理手順を終了する。ステップｃ２では、終了通知情報および受信説明情報を利用者に通知する警告通知処理をして、ステップｃ３に移行する。警告通知処理の詳細については後述する。
【００４４】
ステップｃ３では、アナログテレビ表示ボタン２４を継続してタッチパネルディスプレイ１９の表示部１９ａに表示させるか否かのいずれにするかを利用者に選択させるための情報、たとえば「アナログテレビ表示ボタンを継続して表示させますか」という文字情報を前記表示部１９ａに表示させ、アナログテレビ表示ボタン２４を継続して表示させることが利用者によって選択されたか否かを判断する。アナログテレビ表示ボタン２４を継続して表示させるか否かを、利用者に選択させているのは、アナログテレビ放送の終了日時が地域によって異なると予想され、２０１１年７月２５日以降でもアナログテレビ放送信号を受信できる場合があり得るからである。
【００４５】
ステップｃ３において、アナログテレビ表示ボタン２４を継続して表示させることが選択された場合は、全ての処理手順を終了し、アナログテレビ表示ボタン２４を継続して表示させないことが選択された場合は、ステップｃ４に移行する。
【００４６】
ステップｃ４では、アナログテレビ表示ボタン２４の非表示処理、具体的にはアナログテレビ表示ボタン２４をタッチパネルディスプレイ１９の表示部１９ａに表示させないようにする処理をする。ステップｃ４の処理を終了した後は、全ての処理手順を終了する。
【００４７】
図６は、図５に示す警告通知処理に関する制御部１３の処理手順を示すフローチャートである。図６に示すフローチャートでは、図５に示すフローチャートのステップｃ１の処理が終了すると、本処理が開始する。
【００４８】
ステップｄ１では、予めＨＤＤ１７に記録されている終了通知情報および終了通知音声情報の少なくともいずれか一方を読出し、その読出した情報を出力させる。ＨＤＤ１７から終了通知情報を読出した場合は、読出した終了通知情報をタッチパネルディスプレイ１９の表示部１９ａに表示させる。ＨＤＤ１７から終了通知音声情報を読出した場合は、読出した終了通知音声情報をスピーカ２０から出力させる。ステップｄ１の処理を終了した後は、ステップｄ２に移行する。
【００４９】
ステップｄ２では、ステップｄ１における終了通知情報および終了通知音声情報の少なくともいずれか一方の出力処理を終了し、予めＨＤＤ１７に記録されている受信説明情報および受信説明音声情報の少なくともいずれか一方を読出し、その読出した情報を出力させる。ＨＤＤ１７から受信説明情報を読出した場合は、読出した受信説明情報をタッチパネルディスプレイ１９の表示部１９ａに表示させる。ＨＤＤ１７から受信説明音声情報を読出した場合は、読出した受信説明音声情報をスピーカ２０から出力させる。ステップｄ２の処理を終了した後は、ステップｄ３に移行する。
【００５０】
ステップｄ３では、ＲＴＣによって予め定める時間が経過したか否かを判断し、予め定める時間が経過していれば、ステップｄ４に移行し、経過していなければ前記予め定める時間が経過するまで待機する。
【００５１】
ステップｄ４では、予め定める初期画面への復帰処理、具体的にはタッチパネルディスプレイ１９の表示部１９ａに表示されている前記受信説明情報の表示画面を、予め定める初期画面に戻す処理をする。ステップｄ４の処理を終了した後は、全ての処理手順を終了する。
【００５２】
前述のように本実施の形態によれば、図４のステップｂ２〜ステップｂ４に示されるように、アナログ放送の終了に関する予め定める条件を満足したとき、具体的にはアナログテレビ放送の終了日時が経過し、かつアナログテレビ用アンテナ１１およびアナログテレビチューナ１２によって受信したアナログテレビ放送信号の電界強度が予め定める値以下になったとき、予め定める画像、たとえば青色一色の画像が、タッチパネルディスプレイ１９の表示部１９ａに表示される。これによってアナログテレビ放送信号が受信できないために、いわゆる砂嵐と呼ばれるランダムノイズに起因する映像がタッチパネルディスプレイ１９の表示部１９ａに表示されることを回避することができる。これによって、視聴者に不快感を与えることを防ぐことができる。
【００５３】
また本実施の形態によれば、アナログテレビ放送の終了日時の経過後に、利用者によってアナログテレビ表示ボタン２４が押圧操作されたときは、図６のステップｄ１に示されるように、終了通知情報および終了通知音声情報の少なくともいずれか一方が出力される。これによって利用者は、アナログテレビ放送が終了したことを確実に把握することができる。さらに図６のステップｄ２に示されるように、受信説明情報および受信説明音声情報の少なくともいずれか一方が出力される。これによって利用者は、デジタルテレビ放送信号を受信するために必要な接続機器およびその接続方法などを比較的容易かつ確実に把握することができ、比較的短時間でデジタルテレビ放送信号を受信して、デジタルテレビ放送を視聴することが可能となる。
【００５４】
また本実施の形態によれば、タッチパネルディスプレイ１９の表示部１９ａに受信説明情報が表示されているとき、図６のステップｄ３およびステップｄ４に示されるように、予め定める時間が経過した場合は、タッチパネルディスプレイ１９の表示部１９ａに表示されている前記受信説明情報の表示画面が、予め定める初期画面に戻される。これによって利用者は、タッチパネルディスプレイ１９の表示部１９ａに表示されている前記受信説明情報の表示画面を予め定める初期画面に戻すための煩雑な操作をする必要がなく、利用者の利便性を向上することができる。
【００５５】
また本実施の形態によれば、図５のステップｃ３およびステップｃ４に示されるように、アナログテレビ表示ボタン２４を継続してタッチパネルディスプレイ１９の表示部１９ａに表示させないことが利用者によって選択されたとき、アナログテレビ表示ボタン２４をタッチパネルディスプレイ１９の表示部１９ａに表示させないようにする、アナログテレビ表示ボタン２４の非表示処理がされる。
【００５６】
したがって利用者によってアナログテレビ表示ボタン２４が誤操作され、いわゆる砂嵐と呼ばれるランダムノイズに起因する映像がタッチパネルディスプレイ１９の表示部１９ａに表示されたり、前記ランダムノイズに起因する音声がスピーカ２０から出力されたりすることを未然に回避することができる。これによって、視聴者に不快感を与えることを確実に防ぐことができる。
【００５７】
図７は、表示ボタン置換処理および電力供給停止処理に関する制御部１３の処理手順を示すフローチャートである。図８は、デジタルテレビ表示ボタン２５が押圧されたときの表示部１９ａの表示画面例を示す図である。図７に示すフローチャートでは、放送受信装置１０が電源起動する条件で、本処理が開始する。本処理は、放送受信装置１０の動作中に、制御部１３によって実行される。
【００５８】
ステップｅ１では、ＧＰＳ受信機１６から与えられる複数の電波信号に基づいて、日時を表す日時情報を測定して、ステップｅ２に移行する。ステップｅ２では、ステップｅ１で測定した日時情報が表す日時と、アナログテレビ放送の終了日時とを比較して、アナログテレビ放送の終了日時が経過しているか否かを判断する。ステップｅ２において、アナログテレビ放送の終了日時が経過していればステップｅ３に移行し、前記終了日時が経過していなければ全ての処理を終了する。
【００５９】
ステップｅ３では、放送受信装置１０にデジタルテレビチューナが接続されているか否かを判断し、接続されていればステップｅ４に移行し、接続されていなければ接続されるまで待機する。
【００６０】
ステップｅ４では、表示ボタン置換処理、具体的には図８に示されるように、タッチパネルディスプレイ１９の表示部１９ａに表示されているアナログテレビ表示ボタン２４を、デジタルテレビ表示ボタン２５に置き換える処理をする。デジタルテレビ表示ボタン２５は、デジタルテレビ放送信号の映像信号を、タッチパネルディスプレイ１９の表示部１９ａに表示させる指令を入力するときに、利用者によって操作される表示ボタンである。ステップｅ４において、表示ボタン置換処理を終了した後は、ステップｅ５に移行する。
【００６１】
ステップｅ５では、電源制御部１４からアナログテレビチューナ１２への電力の供給を停止させる指令（以下「電力供給停止指令」という）を電源制御部１４に与える。電源制御部１４は、制御部１３から電力供給停止指令が与えられると、アナログテレビチューナ１２への電力の供給を停止する。ステップｅ５の処理を終了した後は、全ての処理手順を終了する。
【００６２】
前述のように本実施の形態によれば、図７のステップｅ４に示されるように、タッチパネルディスプレイ１９の表示部１９ａに表示されているアナログテレビ表示ボタン２４を、デジタルテレビ表示ボタン２５に置き換える処理がされる。したがって、アナログテレビ放送の終了日時の経過後でかつデジタルテレビチューナが接続されたとき、利用者によってアナログテレビ表示ボタン２４が誤操作されることを未然に回避することができる。これによって、いわゆる砂嵐と呼ばれるランダムノイズに起因する映像がタッチパネルディスプレイ１９の表示部１９ａに表示されたり、前記ランダムノイズに起因する音声がスピーカ２０から出力されたりすることを未然に防止することができ、視聴者に不快感を与えることを確実に防ぐことができる。
【００６３】
また本実施の形態によれば、アナログテレビ放送の終了日時の経過後でかつデジタルテレビチューナが接続されたとき、図７のステップｅ５に示されるように、電力供給停止指令が電源制御部１４に与えられて、電源制御部１４からアナログテレビチューナ１２への電力の供給が停止される。これによって放送受信装置１０における消費電力を減少させることができ、放送受信装置１０における発熱を低減することができる。
【００６４】
前述の実施の形態は、本発明の例示に過ぎず、本発明の範囲内において構成を変更することができる。前述の実施の形態では、アナログ放送の放送信号としてアナログテレビ放送信号を受信可能な放送受信装置１０の構成について述べたが、アナログ放送の放送信号としてアナログラジオ放送信号を受信可能に構成されてもよい。この場合でも、前述の実施の形態と同様の効果を得ることができる。
【００６５】
また放送受信装置１０は、デジタルテレビチューナが接続された場合、デジタルテレビ放送の視聴が可能であり、またデジタルラジオチューナが接続された場合、デジタルラジオ放送の聴取が可能となる。
【００６６】
前述の実施の形態では、制御部１３が、ＧＰＳ受信機１６から与えられる複数の電波信号に基づいて、日時を表す日時情報を測定しているが、これに限らず、たとえば日時情報を測定可能な電話モジュールを放送受信装置１０に接続して、その接続された電話モジュールから日時情報を取得するように構成されてもよいし、制御部１３内に日時を計時するリアルタイムクロック（Real Time Clock；略称：ＲＴＣ）を設ける構成にしてもよい。
【００６７】
さらに、前述の実施の形態では、パネル操作部１９ｂを圧力感知式のタッチパネルで構成しているが、これに限らず、公知である各種のタッチパネル、たとえば静電容量方式のタッチパネルを適用することも可能である。
【００６８】
また前述の実施の形態で具体的に説明している部分の組合せばかりではなく、特に組合せに支障が生じなければ、前述の図３〜図７に示す各実施の形態同士を部分的に組合せることも可能である。
【図面の簡単な説明】
【００６９】
【図１】本発明の実施の一形態である放送受信装置１０の電気的構成を示すブロック図である。
【図２】アナログテレビ表示ボタン２４が押圧されたときの表示部１９ａの表示画面例を示す図である。
【図３】アナログテレビ表示ボタン２４の無効化処理に関する制御部１３の処理手順を示すフローチャートである。
【図４】警告通知処理およびアナログテレビ表示ボタン２４の非表示処理に関する制御部１３の処理手順を示すフローチャートである。
【図５】警告通知処理およびアナログテレビ表示ボタン２４の非表示処理に関する制御部１３の処理手順を示すフローチャートである。
【図６】図５に示す警告通知処理に関する制御部１３の処理手順を示すフローチャートである。
【図７】表示ボタン置換処理および電力供給停止処理に関する制御部１３の処理手順を示すフローチャートである。
【図８】デジタルテレビ表示ボタン２５が押圧されたときの表示部１９ａの表示画面例を示す図である。
【符号の説明】
【００７０】
１０  放送受信装置
１１  アナログテレビ用アンテナ
１２  アナログテレビチューナ
１３  制御部
１４  電源制御部
１５  ＧＰＳ用アンテナ
１６  ＧＰＳ受信機
１７  ハードディスクドライブ（ＨＤＤ）
１８  描画ＬＳＩ
１９  タッチパネルディスプレイ
２０  スピーカ
【図１】
2008283625.tif 000003
【図２】
2008283625.tif 000004
【図３】
2008283625.tif 000005
【図４】
2008283625.tif 000006
【図５】
2008283625.tif 000007
【図６】
2008283625.tif 000008
【図７】
2008283625.tif 000009
【図８】
2008283625.tif 000010